(57)【要約】      （修正有）【課題】ライナーを外すことなく容易に交換が可能であり、スーツケースの外観から鋲等が視認できないコーナーパッドの取付け構造を提供する。【解決手段】コーナーパッド２０を土手部を利用して位置合わせをしてケース本体１０外側において平面部１５に載置し、他方インナーパッド３０をケース本体１０に位置合わせしてケース本体１０内側において平面部１５に載置する。この状態で、インナーパッド３０を突き抜けない長さのねじ５０を、インナーパッド３０の貫通孔３３、ケース本体１０の平面部１５の取付け孔１６、コーナーパッド２０の円筒部２１の順に挿入し、円筒部２１の筒内部にねじ立てを行いながら螺入させることにより、コーナーパッド２０をケース本体１０に、及びインナーパッド３０をライナー１７の上からケース本体１０に固定する。【選択図】図６
0003146789.tif 000002
【実用新案登録請求の範囲】
【請求項１】
内側にライナーを配した箱形のケース本体と、
該ケース本体外側の角に取付けられるコーナーパッドと、
を含むスーツケースのコーナーパッドの取付け構造であって、
前記スーツケースは、前記ケース本体の前記角を内側から外側に向かって貫通する軸状の締結部材を有し、
該締結部材が、前記コーナーパッドの、前記ケース本体に対面する側に設けられた結合部に係合し、
前記締結部材の先端部が前記コーナーパッド内に留まり外に突き抜けない状態で、前記コーナーパッドが前記ケース本体に取付けられていることを特徴とするコーナーパッドの取付け構造。
【請求項２】
請求項１記載のコーナーパッドの取付け構造において、
前記ケース本体内側の角に前記ライナーの上からインナーパッドが配置され、
前記締結部材は、前記インナーパッドに形成された孔を通り、前記インナーパッドに当たって螺入制限されることを特徴とするコーナーパッドの取付け構造。
【請求項３】
請求項２記載のコーナーパッドの取付け構造において、
前記インナーパッドにカバーが着脱可能に取付けられていることを特徴とするコーナーパッドの取付け構造。
【請求項４】
請求項３記載のコーナーパッドの取付け構造において、
前記インナーパッドは、前記ケース本体内面に対面する面に溝が設けられており、
前記カバーは内縁に爪が設けられており、
前記爪は前記溝に入り込むことを特徴とするコーナーパッドの取付け構造。
【請求項５】
請求項４記載のコーナーパッドの取付け構造において、
前記インナーパッドは、前記ケース本体内面に対面する面の反対側の面に突部が設けられており、
該突部が前記カバーの内面に当接することを特徴とするコーナーパッドの取付け構造。
【請求項６】
請求項１〜５記載のコーナーパッドの取付け構造において、
前記締結部材はねじであり、
前記結合部は、前記コーナーパッドを前記ケース本体上に位置合わせした際、前記ケース本体外側の角の取付け面に対して垂直方向に伸びる円筒部であり、
前記ねじは該円筒部の筒内部にねじ立てを行いながら螺入される
ことを特徴とするコーナーパッドの取付け構造。
【考案の詳細な説明】
【技術分野】
【０００１】
本考案はスーツケースのコーナーパッドの取付け構造に関し、さらに詳しく言えば、容易に交換が可能で、かつ、デザイン性の優れたコーナーパッドの取付け構造に関する。
【背景技術】
【０００２】
旅行などの際の荷物の輸送手段として用いられるスーツケースは、その形状からケース本体外側の角（コーナー）の部分をぶつけて損傷してしまうことがある。そこで、スーツケースの中には、ケース本体とは別体に形成したコーナーパッドを取付け、このコーナーパッドを交換可能にしたものがある。
【０００３】
このような従来のスーツケースにおいて、コーナーパッドの取付けには、ケース本体の角にコーナーパッドを被せ、外側から頭付きの鋲をコーナーパッドとケース本体とを貫通させ、その先端をつぶして固定するリベット留め等が採用されている。特表２０００−５０３２２０号公報にはこのようなコーナーパッドを備えるスーツケースの一例が開示されており、明細書中に直接記載されていないが、図面上で、コーナーパッド（コーナー保護部材１５）がスーツケースのコーナーに対して外側から固定されている（コーナーパッド上に円形が描かれている）構成が記載されている。このような従来の取付け方法では、ケース本体内側に鋲の先端側が現れてしまうため見栄えが悪くならないように、またつぶした鋲端部に収納した衣類が引っ掛って損傷したりしないようにライナーを張って鋲の先端を隠す工夫がなされている。
【０００４】
このような従来のコーナーパッドの取付け構造では、コーナーパッドの交換を行う場合、一旦ケース本体内側に張ったライナーを外してから、リベット鋲等を外してコーナーパッドを取替え、再度ライナーを張り直す必要があるため、作業が複雑・専門的となり、購入者が自分でコーナーパッドの交換をするのは困難であった。また、従来の取付け構造ではケース本体に対して外側から鋲を挿入してコーナーパッドを固定するため、鋲等の頭が外観上視認できる状態になり、デザイン的にも問題もあった。
【０００５】
【特許文献１】特表２０００−５０３２２０号公報
【考案の開示】
【考案が解決しようとする課題】
【０００６】
本考案は上記従来の問題点に鑑みなされたものであり、ライナーを外すことなく容易に交換が可能なコーナーパッドの取付け構造を提供することをその課題とする。また、スーツケースの外観から鋲等が視認できないコーナーパッドの取付け構造を提供することも課題とする。
【課題を解決するための手段】
【０００７】
上記課題を解決するため、本考案は、内側にライナーを配した箱形のケース本体と、該ケース本体外側の角に取付けられるコーナーパッドと、を含むスーツケースのコーナーパッドの取付け構造であって、前記スーツケースは、前記ケース本体の前記角を内側から外側に向かって貫通する軸状の締結部材を有し、該締結部材が、前記コーナーパッドの、前記ケース本体に対面する側に設けられた結合部に係合し、前記締結部材の先端部が前記コーナーパッド内に留まり外に突き抜けない状態で、前記コーナーパッドが前記ケース本体に取付けられていることを特徴とするコーナーパッドの取付け構造を提供する。この考案によれば、ケース本体内側からコーナーパッドを固定する取付け構造を有するため、締結部材がスーツケースの外観には現れず、スーツケースの見栄えが良くなる。また、ライナーの上から締結部材を挿入することにより、ライナーを外さずに締結部材を取外すことが可能となるため、容易にコーナーパッドを交換できる。
本考案はさらに、前記ケース本体内側の角に前記ライナーの上からインナーパッドが配置され、前記締結部材は、前記インナーパッドに形成された孔を通り、前記インナーパッドに当たって螺入制限されることを特徴とするコーナーパッドの取付け構造を提供する。この考案によれば、インナーパッドを介することにより、締結部材によってライナーを損傷させること防ぐことができる。
本考案はさらに、前記インナーパッドにカバーが着脱可能に取付けられていることを特徴とするコーナーパッドの取付け構造を提供する。この考案によれば、インナーパッドにカバーを被せることにより、インナーパッドや締結部材に引っ掛かることによりスーツケースの収容物が損傷するのを防ぐことができ、また、スーツケースを開けた際、締結部材の端部やインナーパッドの出っ張りを隠すことができるため見栄えが良くなる。
本考案はさらに、前記インナーパッドは、前記ケース本体内面に対面する面に溝が設けられており、前記カバーは内縁に爪が設けられており、前記爪は前記溝に入り込むことを特徴とするコーナーパッドの取付け構造を提供する。この考案によれば、爪が溝に係止することにより、簡単な構造でインナーパッドに対するカバーの取付け，取外しが可能となる。
本考案はさらに、前記インナーパッドは、前記ケース本体内面に対面する面の反対側の面に突部が設けられており、該突部が前記カバーの内面に当接することを特徴とするコーナーパッドの取付け構造を提供する。この考案によれば、カバーをガタツキがない状態でインナーパッドに固定できる。
本考案はさらに、前記締結部材はねじであり、前記結合部は、前記コーナーパッドを前記ケース本体上に位置合わせした際、前記ケース本体外側の角の取付け面に対して垂直方向に伸びる円筒部であり、前記ねじは該円筒部の筒内部にねじ立てを行いながら螺入されることを特徴とするコーナーパッドの取付け構造を提供する。この考案によれば、簡単な構造でコーナーパッドをケース本体に固定することができる。
【考案の効果】
【０００８】
本考案に係るコーナーパッドの取付け構造によれば、コーナーパッドの交換を容易に行うことができるとともに、コーナーパッドを見栄え良く取付けることができる。
【考案を実施するための最良の形態】
【０００９】
以下図面を参照して、本考案の実施の形態について説明する。図１は、本考案に係るコーナーパッドの取付け構造が採用されているスーツケース１の基本概念図であり、まずこの図１を参照してスーツケース１の全体的な構成について説明する。スーツケース１は、大略して、本体部１０ａと蓋部１０ｂとからなる箱型のケース本体１０と、このケース本体１０の外側の角に固定されるコーナーパッド２０とで構成されており、ケース本体１０には、上面及び側面の中央にそれぞれ１つずつ持手１１が設けられ、側面の持手１１の上下に鍵１２が取り付けられている。さらに、ケース本体１０の背面側には高さ方向に伸縮するキャリーハンドル１３が収納されており、背面側下方の左右の角には一対のキャスター１４が付いている。また、図１には示されていないが、ケース本体１０の内側には後述する布製のライナー１７が張られている。これらの構成については既に公知のものであるため、詳細な説明は省略する。
【００１０】
上記の通り、コーナーパッド２０は、ケース本体１０の外側の角に固定されており、本実施の形態においてはキャスター１４が取り付けられている背面側下方の左右両角を除く６つの角に固定されているが、図１においては説明の都合上、正面側上方右手の角のコーナーパッド２０を取外した状態で示してある。図に示す通り、ケース本体１０の角にはその角を斜めに切った方向に広がる平面部１５が設けられており、さらにその周縁には、ケース本体１０の外表面、具体的には蓋部１０ｂの正面側外表面１０ｃ，上面側外表面１０ｄ及び右側面側外表面１０ｅまで立ち上がり、コーナーパッドの端縁の形状に対応する土手部１８が形成されている。さらにこの平面部１５には取付け孔１６が略正三角形の各頂点となる箇所に計３個設けられている。この取付け孔１６は、ケース本体１０の成形時に取付け孔１６を開ける位置に凹凸などの目印つけておき、成形後にドリルで穿孔することにより形成される。土手部１８は、コーナーパッド２０をケース本体１０に取付ける際の位置合わせに用いられる。なお、コーナーパッド２０の数はこの数に限定されず、任意の数に設定することが可能である。
【００１１】
次に、図２を参照して、コーナーパッド２０について説明する。図２はコーナーパッド２０を表わしており、（ア）は正面図，（イ）は左側面図，（ウ）は背面図である。コーナーパッド２０は、三角形状の側壁２０ａと、側壁２０ａの底辺から略垂直に伸びる底壁２０ｃとからなる縦断面Ｌ字型の貝殻状の部材であり、肉厚が略均一に成形されている。さらに、側壁２０ａは、図２（ア）において、中心から左側の左壁２０ｄと、右側の右へ着２０ｅとから構成されている。コーナーパッド２０の背面側には同方向に向かって伸びる同径の円筒部２１が３つ、略正三角形の各頂点となる箇所に配置されている。これら円筒部２１は、コーナーパッド２０をケース本体１０上に土手部１８を用いて位置合わせして載置した時に、ケース本体１０の取付け孔１６の位置においてその先端が平面部１５にほぼ当接し、平面部１５に対して垂直方向に伸びるようになっている。それぞれの円筒部２１の側面間にはリブ２２が設けられている。
【００１２】
ケース本体１０にコーナーパッド２０を上述のように位置合わせして載置すると、ケース本体１０の正面側，上面側，右側面側外表面１０ｃ，ｄ，ｅとコーナーパッド２０の底壁，左壁，右壁２０ｃ，ｄ，ｅの外表面とが略面一となる。ケース本体１０にコーナーパッド２０を固定するには、後述するインナーパッド３０を介して、ケース本体１０の内側から後述するねじ５０を挿通させ、コーナーパッド２０とケース本体１０を固定する。この構造については後に詳述する。
【００１３】
次に、図３〜５を参照して、ケース本体１０の内側の構成、及びケース本体１０の内側に配置されるインナーパッド３０及びカバー４０について説明する。図３はインナーパッド３０を、図４はインナーパッド３０に被されるカバー４０を示しており、（ア）はその斜視図，（イ）は背面図である。図５はケース本体１０の蓋部１０ｂ内部の一部分を示す図である。
【００１４】
まず、インナーパッド３０について説明する。インナーパッド３０は、円弧状の３つの頂部３６を緩やかなアールがついた辺部３７でつないだ、１枚の板状の基盤３１から構成されている。この基盤３１には、中央において正面側に向かって短い円柱状に突出する突部３２と，該突部３２の周囲に等間隔で配置された３つの貫通孔３３と，基盤３１の外縁上において、周方向で貫通孔３３と位置をずらして配置された３つの隆起部３４とから構成される。突部３２の背面側は窪みとなっており、貫通孔３３は前述したケース本体１０の取付け孔１６と対応するように配置されている。隆起部３４は基盤３１の正面側に向かって断面「コ」の字状に盛り上がっており、この盛り上がりによって基盤３１の背面側に溝３５が形成されている。
【００１５】
次にカバー４０について説明する。カバー４０は平らな頂壁４２とその縁部に沿って形成された周壁４３とからなり、全体が略均一な厚みに形成されている。その外縁形状はインナーパッド３０と同様、すなわち円弧状の３つの頂部を緩やかなアールがついた辺部でつないだ形状であり、インナーパッド３０よりも一回り大きく形成されている。カバー４０の周壁４３の下縁には内側に向かって伸びる爪４１が３箇所設けられており、前述したインナーパッド３０の溝３５に対応するよう、それぞれ略等間隔に配置されている。カバー４０はインナーパッド３０を覆い隠すために用いられ、爪４１を溝３５に係止させてカバー４０をインナーパッド３０に取付けると、頂壁４２の内面がインナーパッド３０の突部３２に当接してガタツキがない状態で固定される。
【００１６】
カバー４０の取付けはインナーパッド３０の上から被せるだけで取付けが可能となっている。すなわち、カバー４０とインナーパッド３０の形状が重なるようにカバー４０をインナーパッド３０に被せると、カバー４０の爪４１がインナーパッド３０の溝３５に位置合わせされ、その状態でカバー４０を上から押すと爪４１が弾性変形して溝３５に嵌り込む。これにより、爪４１が溝３５に係止して、カバー４０がインナーパッド３０から外れることが防止される。また、カバー４０は合成樹脂からなるため、カバー４０を取外すときにはカバー４０自体を撓ませることにより、インナーパッド３０の溝３５に対するカバー４０の爪４１の係止が外れ、カバー４０を取外すことができる。さらに、爪４１は、その先端がカバー４０の頂壁４２に近づくように傾斜されているため、溝３５へ容易に挿入でき、かつ、溝３５との係止が確実に行われるようになっている。このカバー４０を取付けることにより、ケース本体１０の収容物がインナーパッド３０あるいは後述するねじ５０の頭に引っ掛かることにより損傷するのを防ぎ、また、ケース本体１０を開けたときにインナーパッド３０の出っ張りを隠すことができるため、見栄えが良くなる。
【００１７】
続いて、ケース本体１０とインナーパッド３０との位置合わせ方法を説明する。インナーパッド３０は、図５に示すように、ケース本体１０の角の内側にライナー１７の上から配置される。ライナー１７の、ケース本体１０の取付け孔１６と対応する位置に、千枚通し等で孔を開け、この孔とインナーパッド３０の貫通孔３３の位置を合わせることにより、インナーパッド３０のケース本体１０への位置合わせが可能となる。図５中、スーツケース１の左側の角はインナーパッド３０とケース本体１０とを位置合わせした状態を表わしており、他方右側の角は、さらにインナーパッド３０の上にカバー４０を取り付けた状態を表わしている。なお、インナーパッド３０は、ケース本体１０内部に張られたライナー１７に対して、位置合わせした状態で軽く接着しておいてもよい。これにより、コーナーパッド２０の交換時にインナーパッド３０を取外して管理する必要が無くなり、また、ケース本体１０にコーナーパッド２０を固定する作業が容易になる。
【００１８】
次に、図６を参照して、コーナーパッド２０，ケース本体１０，インナーパッド３０，カバー４０の取付け構造について説明する。図６は、コーナーパッド２０，ケース本体１０，インナーパッド３０，カバー４０の分解斜視図である。ただし、ケース本体１０については平面部１５の一部分のみを抜き出して示してある。
【００１９】
コーナーパッド２０，インナーパッド３０をケース本体１０に取付けるには、コーナーパッド２０を前述の如く土手部１８を利用して位置合わせをしてケース本体１０外側において平面部１５に載置し、他方インナーパッド３０を前述の如くケース本体１０に位置合わせしてケース本体１０内側において平面部１５に載置する。この状態で、インナーパッド３０を突き抜けない長さのねじ５０を３本用いて、インナーパッド３０の貫通孔３３，ケース本体１０の平面部１５の取付け孔１６，コーナーパッド２０の円筒部２１の順に挿入し、円筒部２１の筒内部にねじ立てを行いながらねじ５０の頭がインナーパッド３０に当たるまで螺入させることにより、コーナーパッド２０及びインナーパッド３０をケース本体１０に固定する。このときインナーパッド３０はケース本体１０に対しライナー１７の上から固定されることとなる。コーナーパッド２０及びインナーパッド３０をケース本体１０に固定した後、インナーパッド３０に対してカバー４０を装着することにより、コーナーパッド２０，ケース本体１０，インナーパッド３０，カバー４０の取付けは完了する。さらに、コーナーパッド２０を取外す場合には、上記取付け方法と逆の手順、すなわちコーナーパッド２０の円筒部２１からねじ５０を外せば良い。さらに、新たなコーナーパッド２０を上記取付け方法により取り付ければ、コーナーパッド２０の交換を行うことができる。この際、さまざまな色のコーナーパッド２０を用意し、使用者が自由に色を組み合わせることができるようにしてもよい。これにより、好みのカラーに変更することができるとともに、自己のスーツケースと他のスーツケースとを容易に識別することができるようになる。なお、コーナーパッドのあらかじめ円筒部２１の筒内部に雌ねじ部品をインサート成形しておいても良い。ねじ５０の本数はこれに限定されず、任意の数にすることが可能である。
【００２０】
このようにケース本体１０内側からコーナーパッド２０を固定する取付け構造を有するため、締結部材がスーツケース１の外観には現れず、スーツケース１の見栄えが良くなる。また、ライナー１７の上からねじ留めすることにより、ライナー１７を外さずにねじ５０を取外すことが可能となるため、容易にコーナーパッド２０を交換できる。さらに、インナーパッド３０を介することにより、ねじ５０の締付けによってライナー１７を損傷させること防ぐことができる。さらに、インナーパッド３０にカバー４０を被せることにより、インナーパッド３０やねじ５０の頭に引っ掛かることによりスーツケース１の収容物が損傷するのを防ぐことができ、また、スーツケース１を開けた際、ねじ５０の端部やインナーパッド３０の出っ張りを隠すことができるため見栄えが良くなる。
【図面の簡単な説明】
【００２１】
【図１】スーツケースの斜視図である。
【図２】（ア）はコーナーパッドの正面図，（イ）は同右側面図，（ウ）は同背面図である。
【図３】（ア）はインナーパッドの斜視図，（イ）は同背面図である。
【図４】（ア）はカバーの斜視図，（イ）は同背面図である。
【図５】ケース本体の蓋部内部の一部分を示す図である。
【図６】コーナーパッド，ケース本体（の平面部の一部分），インナーパッド，カバーの分解斜視図である。
【符号の説明】
【００２２】
１           スーツケース
１０       ケース本体
１５       平面部
１６       取付け孔
１７    ライナー
１８    土手部
２１       円筒部
２０       コーナーパッド
３０       インナーパッド
３１       基盤
３２       突部
３３       貫通孔
３４       隆起部
３５       溝
４０       カバー
４１       爪
５０       ねじ
【図１】
0003146789.tif 000003
【図２】
0003146789.tif 000004
【図３】
0003146789.tif 000005
【図４】
0003146789.tif 000006
【図５】
0003146789.tif 000007
【図６】
0003146789.tif 000008
【手続補正書】
【提出日】平成20年10月1日(2008.10.1)
【手続補正１】
【補正対象書類名】実用新案登録請求の範囲
【補正対象項目名】請求項６
【補正方法】変更
【補正の内容】
【請求項６】
請求項１乃至５のいずれか１に記載のコーナーパッドの取付け構造において、
前記締結部材はねじであり、
前記結合部は、前記コーナーパッドを前記ケース本体上に位置合わせした際、前記ケース本体外側の角の取付け面に対して垂直方向に伸びる円筒部であり、
前記ねじは該円筒部の筒内部にねじ立てを行いながら螺入されることを特徴とするコーナーパッドの取付け構造。